(57)【要約】【課題】医療用架台の支柱の軽量化と強度強化が求められている。【解決手段】複数の棚板１３〜１６を異なる間隔で取付固定可能とする架台１１において、棚板の２辺を取付固定する一対の支柱１２と、支柱に設けられ、棚板固定用ネジを螺合させる複数のネジ穴が所定間隔で穿設された棚板固定ネジ板４４を取着固定する棚板固定ネジ板装着溝４０，４１と、棚板固定ネジ板装着溝と連設され内視鏡ハンガー用支柱とモニター用支柱が装着保持される支柱保持筒状部１８ａ，２１ａとを一体に形成した架台用支柱。【選択図】      図１
2004223155.tif 000002
【特許請求の範囲】
【請求項１】
複数の棚板を異なる間隔で取付固定可能とする架台において、
前記複数の棚板を取付固定する一対の支柱と、
前記支柱に設けられ、棚板固定用ネジを螺合させる複数のネジ穴が所定間隔で穿設された棚板ネジ部材を取着固定する棚板ネジ部材固定部と、
前記棚板ネジ部材固定部と連設され内視鏡保持ハンガー用支柱とモニター固定用支柱とがそれぞれ装着保持される支柱保持部と、
を一体に形成したことを特徴する架台用支柱。
【請求項２】
前記棚板ネジ部材固定部は、前記支柱の長手方向に設けられ、前記棚板ネジ部材が取着固定可能な棚板ネジ部材固定溝からなることを特徴とする請求項１記載の架台用支柱。
【請求項３】
前記支柱保持部は、前記支柱に設けられた前記棚板を固定保持する前記棚板ネジ部材固定部から突出させて形成された前記内視鏡ハンガー用支柱とモニター固定用支柱それぞれが装着保持する支柱保持用筒状部からなることを特徴とする請求項１乃至２のいずれかに記載の架台用支柱。
【発明の詳細な説明】
【０００１】
【発明の属する技術分野】
本発明は、各種診断治療を行う医療器具を保持すると共に、その医療器具を駆動制御する駆動制御機器、光源機器、診断治療情報を表示するモニター、診断治療情報を記録する記録機器、及び補助治療機器等の各種医療機器を載置する複数の棚を有する医療用架台において、前記棚の取付固定位置を各種医療機器に応じて変更可能とする架台用支柱に関する。
【０００２】
【従来の技術】
従来、医療分野で患部の診断や治療に内視鏡装置や超音波診断装置等が用いられている。
【０００３】
さらに、内視鏡装置は、高画素数の固体撮像素子の開発により、体腔内に挿入される挿入部先端に固体撮像素子を内蔵させ、その固体撮像素子で撮像生成された撮像画像を基に体腔内患部の診断や治療を行う電子内視鏡装置が主流となっている。
【０００４】
この電子内視鏡装置は、前述した挿入部先端に固体撮像素子を内蔵させた内視鏡と、この固体撮像素子を駆動制御すると共に、撮像生成された撮像信号を所定の信号処理を行いテレビ映像信号を生成する内視鏡駆動制御機器であるビデオプロセッサ、前記内視鏡挿入部先端から観察部位に投射させる照明光を生成して内視鏡に供給する光源機器、前記ビデオプロセッサで生成されたテレビ映像信号を基に撮像映像を表示するモニター、前記ビデオプロセッサで生成されたテレビ映像信号を記録する記録機器、及び内視鏡装置に設けられた処置具チャンネルを介して患部の処置を行う処置具を駆動制御する処置具制御機器等から構成されている。
【０００５】
この電子内視鏡装置は、内視鏡を保持する内視鏡用ハンガーや、前記ビデオプロセッサ、光源機器、モニター、及び処置具制御機器等を載置する複数段の棚板を有する架台に収納載置され、且つ、この架台にキャスターを設けることで、自由に診断治療場所を移動できるようになっている。
【０００６】
また、前記電子内視鏡装置は、診断治療する被検体である患者の氏名、年齢、性別、及び診断実施年月日等の被検体情報（以下、患者情報と称する）や前記ビデオプロセッサなどの各種機器の設定情報等を入力するための入力用キーボードが設けられ、この入力用キーボードから入力された患者情報は、前記モニターに表示されると共に、前記記録機器に内視鏡で撮像生成されたテレビ映像信号と共に記録されるようになっている。
【０００７】
前記入力用キーボードや、モニター、及び各種医療機器等を載置される医療用架台装置が提案されている（例えば、特許文献１及び２参照）。
【０００８】
【特許文献１】
実開平１０−２８６２１９号公報。
【０００９】
【特許文献２】
米国特許登録番号第５，７６５，５６５号公報。
【００１０】
【発明が解決しようとする課題】
前記特許文献１及び２に提案されている内視鏡機器カートである架台は、略箱状に形成され、底板と頂板と、この底板と頂板を連結する柱状又は板状若しくは梁状の４つのフレームと、このフレームに取り付けられ、かつ、前記底板と頂板との間に複数の棚板が取付可能となっている。
【００１１】
前記底板と頂板の間に取り付けられる棚板は、前記４つのフレームに棚板固定用ネジで取付固定されるようになっている。
【００１２】
この架台の全体強度や変形防止のために、４つのフレームが不可欠で、かつ、フレーム位置も、底板、頂板、棚板の後端面と、両側端面の前面側部分の少なくとも３辺、又は両側端面の前後端部分が取付固定できるようになっている。
【００１３】
このため底板や棚板に各種機器を載置する際には、底板や棚板のフレームが設置されていない前端面側からのみ収納載置するようになっており、底板や棚板への機器載置方向が制約される。
【００１４】
本発明は、上記事情に鑑みなされたもので、架台に対して各種機器を少なくとも３方向から載置収納が可能で、かつ、架台の強度を十分得られる架台用支柱を提供することを目的としている。
【００１５】
【課題を解決するための手段】
本発明の架台用支柱は、複数の棚板を異なる間隔で取付固定可能とする架台において、前記複数の棚板を取付固定する一対の支柱と、前記支柱に設けられ、棚板固定用ネジを螺合させる複数のネジ穴が所定間隔で穿設された棚板ネジ部材を取着固定する棚板ネジ部材固定部と、前記棚板ネジ部材固定部と連設され内視鏡保持ハンガー用支柱とモニター固定用支柱とがそれぞれ装着保持される支柱保持部と、を一体に形成したことを特徴する。
【００１６】
本発明の架台用支柱の前記棚板ネジ部材固定部は、前記支柱の長手方向に設けられ、前記棚板ネジ部材が取着固定可能な棚板ネジ部材固定溝からなることを特徴とする。
【００１７】
また、本発明の架台用支柱の前記支柱保持部は、前記支柱に設けられた前記棚板を固定保持する前記棚板ネジ部材固定部から突出させて形成された前記内視鏡保持ハンガー用支柱とモニター固定用支柱それぞれが装着保持する支柱保持用筒状部からなることを特徴とする。
【００１８】
本発明の架台用支柱は、上面棚板、底面棚板、及び中間棚板のそれぞれの後端面と後端面側の側端面のみを取付固定するための棚板ネジ部材固定部と、この棚板ネジ部材固定部と連設された支柱保持部とを一体形成したことで、棚板取付後の架台強度が強靱で、各棚板の前面側の３方向から各種機器の載置収納が可能となった。
【００１９】
【発明の実施の形態】
以下、図面を参照して本発明の実施の形態について詳細に説明する。図１は本発明に係る架台用支柱の一実施形態の全体構成を示す斜視図、図２は本発明に係る架台用支柱を用いて生成した内視鏡用架台装置を説明する斜視図、図３は本発明に係る架台用支柱を用いた医療用架台装置の使用状態を説明する斜視図である。
【００２０】
最初に、図２を用いて本発明に係る医療用架台装置の全体構成を説明する。架台１１は、断面形状が略Ｌ状の２本の支柱１２ａ，１２ｂの上端に上面棚板１３、下端に底面棚板１４とがそれぞれ取付固定されている。上面棚板１３と底面棚板１４の後面側の２辺が前記支柱１２ａ，１２ｂのＬ字部分でそれぞれ取付固定されている。つまり、上面棚板１３と底面棚板１４の前面側は、前面と、側面の略２／３位の部分は何ら支柱もなく物品の収納載置が可能となっている。
【００２１】
なお、底面棚板の下面の４つの角部分には、キャスター２４ａ〜２４ｄが設けられて、架台１１が移動可能となっている。
【００２２】
また、前記上面棚板１３の前面の２つの角部分には、把手２２ａ，２２ｂが設けられている。つまり、この把手２２ａ，２２ｂを把持し、キャスター２４ａ〜２４ｄにより架台１１が移動可能となっている。
【００２３】
さらに、前記支柱１２ａ，１２ｂの上端の略Ｌ字形状の角部分には、モニター支柱１８と、内視鏡ハンガー支柱２１が装着できる筒状部が一体的に形成されている。
【００２４】
前記モニター支柱１８には、モニター台１９が設けられており、このモニター台１９にモニター２０が載置されるようになっている。
【００２５】
また、前記内視鏡ハンガー支柱２１には、内視鏡ハンガー２５が設けられており、この内視鏡ハンガー２５に図示していない内視鏡が保持されるようになっている。
【００２６】
さらに、前記上面棚板１３の一方の側面には、前記内視鏡ハンガー２５に保持された内視鏡のケーブルコネクタが装着保持されるコネクタホルダー２３ａ，２３ｂが設けられている。
【００２７】
前記上面棚板１３と底面棚板１４との間には、第１中間棚板１５と第２中間棚板１６とがそれぞれ前記支柱１２ａ，１２ｂに取付固定されている。なお、この第１と第２中間棚板１５，１６は、前記支柱１２ａ，１２ｂの任意の位置に取付固定可能となっている。つまり、第１と第２中間棚板１５，１６に載置される機器の高さによって、支柱１２ａ，１２ｂへの取付固定位置が変更可能となっている。
【００２８】
前記上面棚板１３には、内視鏡診断時に用いる各種医薬品やガーゼ等の診断補助部材が載置される。
【００２９】
前記第１中間棚板１５には、図示していない内視鏡に設けられているライトガイドファイバーに照明光を生成供給する光源機器と、内視鏡に内蔵されている固体撮像素子を駆動制御すると共に、固体撮像素子で撮像生成された撮像信号を取り込み所定の信号処理を行って前記モニター２０に表示するテレビ映像信号を生成処理するビデオプロセッサが載置される。
【００３０】
前記第２の中間棚板１６には、前記内視鏡に設けられている処置具挿通チャンネルに挿通させた各種処置具により体腔内患部の検体採取や治療の際に、その処置具を駆動制御させる処置具駆動制御機器が載置される。
【００３１】
また、前記底面棚板１４には、前記第１中間棚板１５に載置されているビデオプロセッサで生成されたテレビ映像信号を記録するビデオカセットレコーダなどの記録機器が載置される。
【００３２】
前記第１中間棚板１５の上方で、前記上面棚板１３の下面側近傍には、入力端末トレー１７が配置されている。この入力端末トレー１７には、内視鏡診断治療を行う患者情報や架台１１に載置されているビデオプロセッサなどの各種機器の設定情報等を入力するためのキーボード、又はタッチパネル等が載置されるようになっている。
【００３３】
この入力端末トレー１７は、前記上面棚板１３の載置領域の下面側に収納可能で、且つ、必要に応じて、前記上面棚板１３の載置領域の外周の任意の位置に引き出し可能となっている。
【００３４】
このような構成の架台１１に内視鏡を保持させた状態を図３を用いて説明する。前記内視鏡ハンガー支柱２１の先端側には、内視鏡ハンガーアーム３１が設けられており、この内視鏡ハンガーアーム３１には、図中点線で示す内視鏡５２の操作部から延出されているコネクタ用コード５１を内視鏡診断治療前後に一時保持される内視鏡ハンガー３２ｂが設けられている。
【００３５】
また、前記内視鏡ハンガー３２ｂに保持された内視鏡５２のコネクタ用コード５１の先端には、前記架台１１の第１中間棚板１５に載置されている図示していない光源機器やビデオプロセッサに接続するためのコネクタが設けられ、そのコネクタは上面棚板１３に設けられたコネクタホルダー２３ｂに装着保持されるようになっている。
【００３６】
内視鏡ハンガー３２ｂに保持された内視鏡５２の挿入部先端は、前記架台１１の支柱１２ｂから前記第２中間棚板１６の側端面に沿って設けられた容器５３ａ，５３ｂに一時収納されるようになっている。
【００３７】
この容器５３ａ，５３ｂは、例えば内視鏡５２の先端に設けられている観察窓を洗浄する洗浄水の送水孔からしたたり落ちる洗浄水など収集貯蔵するものである。
【００３８】
この容器５３ａ，５３ｂは、前記支柱１２ｂから前記第２中間棚板１６，又は底面棚板１４の側端面に沿って取付固定されている保持部材５３に取付固定されている。
【００３９】
このような内視鏡用架台装置の架台１１を構成する支柱１２ａ，１２ｂについて図１を用いて説明する。なお、図１は支柱１２ｂを示しているが、支柱１２ａは、支柱１２ｂと対称であるために省略している。
【００４０】
この支柱１２ｂは、断面が略Ｌ字状に形成された後面部２６と側面部２７と、この略Ｌ字状に形成された後面部２６と側面部２７の外側に異なる形状に形成された複数の筒状部３９ａ，３９ｂ，３９ｃと、前記Ｌ字状の角部から外方に設けられ、かつ、前記筒状部３９ａ，３９ｂと連設され、前記モニター支柱１８が嵌合装着されるモニター支柱円筒１８ａと、このモニター支柱円筒１８ａに連設され、前記内視鏡ハンガー支柱２１が嵌合装着されるハンガー支柱円筒２１ａと、前記Ｌ字状の後面部２６と前記側面部２７の内面側それぞれに設けられた棚板固定ネジ板装着溝４０，４１と、前記略Ｌ字状に形成された後面部２６と側面部２７の外側に異なる形状に形成された筒状部３９ｃの両端側に設けられた前記保持部材５３を取付固定する保持部材固定ネジ板装着溝４２，４３とからなる長尺な形状に一体形成されている。
【００４１】
つまり、複数の棚板１３〜１６を取付固定する棚板固定ネジ板装着溝４０，４１を有するＬ字状の後面部２６と側面部２７と、この後面部２６と側面部２７の外側に設けた複数の形状の筒状部３９ａ，３９ｂ，３９ｃと、この筒状部３９ａ，３９ｂ，３９ｃに連接させたモニター支柱円筒１８ａと内視鏡ハンガー支柱円筒２１ａと、前記側面部２７の外側の筒状部３９ｃに設けられた保持部材固定ネジ板装着溝４２，４３とからなる断面形状の長尺支柱を一体に押出形成加工して、所定の長さ寸法に切断して支柱１２ｂを生成する。
【００４２】
このような成形生成された支柱１２ｂのモニター支柱円筒１８ａには、前記モニター支柱１８が嵌合装着され、図示していない固定具で固定される。また、このモニター支柱円筒１８ａに前記モニター支柱１８が嵌合装着されない場合は、キャップ３８が取着されるようになっている。
【００４３】
前記ハンガー支柱円筒２１ａの上面には、内視鏡ハンガー支柱２１の取着固定用の固定具３２が設けられている。この固定具３２は、円筒状の円弧の一部を軸方向に切り欠いた略Ｃ字形状に形成されており、この固定具３２の円弧状部の一部に軸方向にネジ孔３４が形成され、このネジ孔３４に固定ネジ３６を用いて前記ハンガー支柱円筒２１ａの上面に取付固定されるようになっている。
【００４４】
さらに、前固定具３２の切り欠いた部分の一方の切り欠き面には、ネジ孔３３が設けられ、このネジ孔３３が設けられた切り欠き面に対向する他方の切り欠き面から円弧の外周面に挿通された段付きのネジ挿通孔３５が設けられている。この段付きのネジ挿通孔３５からハンガー固定ネジ３７をガススペーサ６０を間に挟んで挿通させて、ネジ孔３３と螺合させることで、切り欠き面の間隔を狭める、つまり、固定具３２の内径にて、内視鏡ハンガー支柱２１を締め付けることで、内視鏡ハンガー支柱２１を固定可能となっている。
【００４５】
前記支柱１２ｂの後面部２６の内側に設けられた棚板固定ネジ板装着溝４０には、長尺の矩形部材に所定間隔で複数のネジ孔４５が穿設されると共に、所定間隔で複数の位置決めピン４６が植設されている棚板固定ネジ板４４が装着されるようになっている。
【００４６】
この棚板固定ネジ板４４は、前記上面棚板１３，底面棚板１４，第１中間棚板１５，及び第２中間棚板１６の後縁面を取付固定するものである。つまり、各棚板１３〜１６の後縁面に設けられ、前記棚板固定ネジ板４４に設けられたネジ孔４５と合う位置に設けられた図示していないネジ挿通孔を介して、図示していない固定ネジを挿通させ、その固定ネジにより棚板１３〜１６をそれぞれ所定位置に取付固定するようになっている。なお、位置決めピン４６は、特に第１と第２中間棚板１５，１６を載置する各種医療機器の形状寸法に応じて、棚板固定ネジ板４４のネジ孔４５を変える際に、中間棚板１５，１６に設けられている図示していない位置決めピン挿通孔を挿通させて、固定ネジによる中間棚板１５，１６の取付時の位置決め仮固定用として用いられるようになっている。
【００４７】
また、前記支柱１２ｂの側面部２７の内側に設けられている棚板固定ネジ板装着溝４１には、前記棚板固定ネジ板４４の位置決めピン４６は植設されてなく、ネジ孔４５のみの図示ていない棚板固定ネジ板が装着されるようになっている。この側面部２７の棚板固定ネジ板装着溝４１に装着された棚板固定ネジ板のネジ孔には、前記棚板１３〜１６の側縁面に設けられた固定ネジ挿通孔を介して、図示していない固定ネジが螺合されて、棚板１３〜１６を取付固定するようになっている。
【００４８】
即ち、前記支柱１２ｂの後面部２６の棚板固定ネジ板装着溝４０に装着された棚板固定ネジ板４４のネジ孔４５と、側面部２７の棚板固定ネジ板装着溝４１に装着された棚板固定ネジ板のネジ孔に固定ネジを用いて棚板１３〜１６の後縁面と、後縁面側の側縁面とを取付固定することで、棚板１３〜１６を所定の位置に取付固定が可能となる。
【００４９】
また、前記支柱１２ｂの側面部２７の外側に設けられた保持部材固定ネジ板装着溝４２，４３には、保持部材固定ネジ４７が装着されるようになっている。この保持部材固定ネジ４７は、矩形状の部材の中央にネジ孔４８が穿設され、背面には、バネ部材４９が設けられている。
【００５０】
この保持部材固定ネジ４７は、前記バネ部材４９が保持部材固定ネジ板装着溝４２、４３の背面側に位置し、ネジ孔４８の表面側が保持部材固定ネジ板装着溝４２、４３の表面側に露出するように装着すると、バネ部材４９の弾性により保持部材固定ネジ板装着溝４２の内部を摺動移動させて、所定の位置に装着できる。
【００５１】
つまり、この保持部材固定ネジ４７を保持部材固定ネジ板装着溝４２，４３に装着させるとバネ部材４９の弾性により保持部材固定ネジ板装着溝４２，４３の任意の位置に摺動配置させることができる。
【００５２】
この保持部材固定ネジ板装着溝４２，４３に装着された保持部材固定ネジ４７のネジ孔４８に前記保持部材５３を図示していない固定ネジで取付固定する。
【００５３】
なお、この保持部材固定ネジ板装着溝４２，４３には、前記保持部材固定ネジ４７に変わって、前記位置決めピン４６が植設されていない棚板固定ネジ板４４を用いることもでき、前記棚板固定ネジ板装着溝４０，４１に前記保持部材固定ネジ４７を装着することもできる。
【００５４】
以上説明したように、本発明の架台用支柱は、後面部２６と側面部２７を異なる形状の筒状部３９ａ，３９ｂ，３９ｃと、この筒状部３９ａ，３９ｂ，３９ｃに連接してモニター支柱円筒１８ａ及びハンガー支柱円筒２１ａと、前記後縁部２６と側縁部２７の内側の棚板固定ネジ板装着溝４０，４１と、前記側面部２７の外側の保持部材固定ネジ板装着溝４２，４３とからなる断面形状に一体に形成されたことで、後面部２６と側面部２７の機械的強度が強固に確保できると共に、支柱１２ｂの全体の素材量の低減と軽量化を図ることが可能となった。
【００５５】
また、この筒状部３９ａ，３９ｂ，３９ｃは、前記棚板１３〜１６に載置される各種機器の接続ケーブルやコード類を挿通させるようにすることで、前記接続ケーブルやコード類の整理整頓ができる。
【００５６】
さらに、ハンガー支柱円筒２１ａの外周面の長手方向に凹凸部を形成することで、架台１１を搬送する時の把持部として把持しやすく、かつ、滑り止めとなる。
【００５７】
［付記］
以上詳述した本発明の実施形態によれば、以下のごとき構成を得ることができる。
【００５８】
（付記１）  複数の棚板を異なる棚板間隔で取付固定可能とする架台において、
前記複数の棚板を取付固定する一対の支柱と、
前記支柱に設けられ、棚板固定用ネジを螺合させる複数のネジ穴が所定間隔で穿設された棚板ネジ部材を取着固定する棚板ネジ部材固定部と、
前記棚板ネジ部材固定部と連設され内視鏡保持ハンガー用支柱とモニター固定用支柱とがそれぞれ装着保持される支柱保持部と、
を一体に形成したことを特徴する架台用支柱。
【００５９】
（付記２）  前記棚板ネジ部材固定部は、前記支柱の長手方向に設けられ、前記棚板ネジ部材が取着固定可能な棚板ネジ部材固定溝からなることを特徴とする付記１記載の架台用支柱。
【００６０】
（付記３）  前記支柱保持部は、前記支柱に設けられた前記棚板を固定保持する前記棚板ネジ部固定部から突出させて形成された前記内視鏡保持ハンガー用支柱とモニター固定用支柱とそれぞれ装着保持する支柱保持用筒状部からなることを特徴とする付記１乃至２のいずれかに記載の架台用支柱。
【００６１】
（付記４）  前記棚板ネジ部材は、長尺矩形状部材に少なくとも所定間隔で複数のネジ孔が設けられているか、又は、矩形状部材の中央部にネジ孔が設けられ、かつ、背面にバネ部材が配置されているか、いずれかであることを特徴とする付記２記載の架台用支柱。
【００６２】
（付記５）  前記支柱保持部の支柱保持用筒状部には、前記内視鏡保持ハンガー用支柱、又はモニター用支柱の装着保持位置を固定位置調整可能な支柱保持部材が設けられていることを特徴とする付記３記載の架台用支柱。
【００６３】
（付記６）  前記支柱保持部の支柱保持用筒状部には、前記内視鏡保持ハンガー用支柱、又はモニター用支柱が装着されていない場合は、カバー部材が設けられることを特徴とする付記３記載の架台用支柱。
【００６４】
【発明の効果】
本発明の架台用支柱は、軽量で機械的強度の優れた支柱が生成可能となり、この支柱に取付固定される棚板固定用ネジ板や、部材固定用ネジ板が容易に取付装着でき、組み立て作業効率の向上と軽量化及び機械的強度の優れた架台が提供できる効果を有している。
【図面の簡単な説明】
【図１】本発明に係る架台用支柱の一実施形態の全体構成を示す斜視図。
【図２】本発明に係る医療用架台装置を説明する斜視図。
【図３】本発明に係る医療用架台装置の使用状態を説明する斜視図。
【符号の説明】
１１…架台
１２…支柱
１３…上面棚板
１４…底面棚板
１５…第１中間棚板
１６…第２中間棚板
１８…モニター支柱
２１…内視鏡ハンガー支柱
２６…後面部
２７…側面部
３９…筒状部
４０，４１…棚板固定ネジ板装着溝
４２，４３…保持部材固定ネジ板装着溝
【図１】
2004223155.tif 000003
【図２】
2004223155.tif 000004
【図３】
2004223155.tif 000005